【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
判別条件の成立に基づいて判別を実行する判別手段と、
その判別手段の判別結果が特定の判別結果となったことに基づいて遊技者に有利な特典遊技を実行する特典遊技実行手段と、
その特典遊技実行手段により実行される特典遊技の種別として、予め定められた特定の種別を少なくとも含む複数の種別のうち１の種別を決定する種別決定手段と、を備えた遊技機において、
所定の設定条件の成立に基づいて、第１遊技状態と、その第１遊技状態とは異なる第２遊技状態と、を少なくとも含む複数のうち１の遊技状態を設定する遊技状態設定手段と、
遊技球が入球可能な入球手段と、
その入球手段へと遊技球が入球可能となる第１位置と、その第１位置よりも前記入球手段への入球が困難となる第２位置と、に可変可能な第１可変手段と、
前記判別手段の判別結果が前記特定の判別結果となったことに基づいて、前記第１可変手段が所定の可変パターンで可変するように制御する第１可変制御手段と、
その第１可変制御手段により制御される前記可変パターンとして、前記第１遊技状態において前記特定の判別結果となって前記特定の種別の特典遊技が決定されたことに基づいて第１可変パターンを設定し、前記第２遊技状態において前記特定の種別の特典遊技が決定されたことに基づいて、前記特典遊技が開始されてから前記第１可変手段が前記第１位置に可変されるまでの期間が少なくとも前記第１可変パターンとは異なる第２可変パターンを設定する可変パターン設定手段と、
前記入球手段へと入球した遊技球が、前記入球手段の内部に設けられた特定領域へと入球可能となる第３位置と、その第３位置よりも前記特定領域への入球が困難になる第４位置と、に可変可能な第２可変手段と、
前記判別手段の判別結果が前記特定の判別結果となったことに基づいて、当該特定の判別結果となった時点の遊技状態によらない予め定められた特定の可変パターンで前記第２可変手段が可変するように制御する第２可変制御手段と、
前記特典遊技の実行中に前記特定領域へと遊技球が入球したことに基づいて特定の特典を付与する特典付与手段と、を備え、
前記第１可変パターンは、前記第２可変パターンよりも、前記第１可変手段が前記第１位置に可変されている期間に前記入球手段に入球した遊技球が、前記特定の可変パターンにおける前記第３位置に可変されている期間において前記第２可変手段へと到達し易くなるものであり、
前記特定の可変パターンは、前記第２可変パターンが設定された前記特典遊技において、前記第２可変パターンにおける前記第１位置への可変が終了してから所定期間が経過した後で前記第２可変手段が前記第３位置へと可変される可変パターンで構成されていることを特徴とする遊技機。
【請求項２】
遊技球を遊技領域へと発射可能な発射手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、判別条件の成立に基づいて判別を実行する判別手段と、その判別手段の判別結果が特定の判別結果となったことに基づいて遊技者に有利な特典遊技を実行する特典遊技実行手段と、その特典遊技実行手段により実行される前記特典遊技の種別として、予め定められた特定の種別を少なくとも含む複数の種別のうち１の種別を決定する種別決定手段と、を有するものであり、所定の設定条件の成立に基づいて、第１遊技状態と、その第１遊技状態とは異なる第２遊技状態と、を少なくとも含む複数のうち１の遊技状態を設定する遊技状態設定手段と、遊技球が入球可能な入球手段と、その入球手段へと遊技球が入球可能となる第１位置と、その第１位置よりも前記入球手段への入球が困難となる第２位置と、に可変可能な第１可変手段と、前記判別手段の判別結果が前記特定の判別結果となったことに基づいて、前記第１可変手段が所定の可変パターンで可変するように制御する第１可変制御手段と、その第１可変制御手段により制御される前記可変パターンとして、前記第１遊技状態において前記特定の判別結果となって前記特定の種別の特典遊技が決定されたことに基づいて第１可変パターンを設定し、前記第２遊技状態において前記特定の種別の特典遊技が決定されたことに基づいて、前記特典遊技が開始されてから前記第１可変手段が前記第１位置に可変されるまでの期間が少なくとも前記第１可変パターンとは異なる第２可変パターンを設定する可変パターン設定手段と、前記入球手段へと入球した遊技球が、前記入球手段の内部に設けられた特定領域へと入球可能となる第３位置と、その第３位置よりも前記特定領域への入球が困難になる第４位置と、に可変可能な第２可変手段と、前記判別手段の判別結果が前記特定の判別結果となったことに基づいて、当該特定の判別結果となった時点の遊技状態によらない予め定められた特定の可変パターンで前記第２可変手段が可変するように制御する第２可変制御手段と、前記特典遊技の実行中に前記特定領域へと遊技球が入球したことに基づいて特定の特典を付与する特典付与手段と、を備え、前記第１可変パターンは、前記第２可変パターンよりも、前記第１可変手段が前記第１位置に可変されている期間に前記入球手段に入球した遊技球が、前記特定の可変パターンにおける前記第３位置に可変されている期間において前記第２可変手段へと到達し易くなるものであり、前記特定の可変パターンは、前記第２可変パターンが設定された前記特典遊技において、前記第２可変パターンにおける前記第１位置への可変が終了してから所定期間が経過した後で前記第２可変手段が前記第３位置へと可変される可変パターンで構成されている。
【手続補正３】
【補正対象書類名】明細書
【補正対象項目名】０００７
【補正方法】変更
【補正の内容】
【０００７】
請求項２記載の遊技機は、請求項１記載の遊技機において、遊技球を遊技領域へと発射可能な発射手段を備える。
【手続補正４】
【補正対象書類名】明細書
【補正対象項目名】００１１
【補正方法】変更
【補正の内容】
【００１１】
本発明の遊技機によれば、判別条件の成立に基づいて判別を実行する判別手段と、その判別手段の判別結果が特定の判別結果となったことに基づいて遊技者に有利な特典遊技を実行する特典遊技実行手段と、その特典遊技実行手段により実行される前記特典遊技の種別として、予め定められた特定の種別を少なくとも含む複数の種別のうち１の種別を決定する種別決定手段と、を有するものであり、所定の設定条件の成立に基づいて、第１遊技状態と、その第１遊技状態とは異なる第２遊技状態と、を少なくとも含む複数のうち１の遊技状態を設定する遊技状態設定手段と、遊技球が入球可能な入球手段と、その入球手段へと遊技球が入球可能となる第１位置と、その第１位置よりも前記入球手段への入球が困難となる第２位置と、に可変可能な第１可変手段と、前記判別手段の判別結果が前記特定の判別結果となったことに基づいて、前記第１可変手段が所定の可変パターンで可変するように制御する第１可変制御手段と、その第１可変制御手段により制御される前記可変パターンとして、前記第１遊技状態において前記特定の判別結果となって前記特定の種別の特典遊技が決定されたことに基づいて第１可変パターンを設定し、前記第２遊技状態において前記特定の種別の特典遊技が決定されたことに基づいて、前記特典遊技が開始されてから前記第１可変手段が前記第１位置に可変されるまでの期間が少なくとも前記第１可変パターンとは異なる第２可変パターンを設定する可変パターン設定手段と、前記入球手段へと入球した遊技球が、前記入球手段の内部に設けられた特定領域へと入球可能となる第３位置と、その第３位置よりも前記特定領域への入球が困難になる第４位置と、に可変可能な第２可変手段と、前記判別手段の判別結果が前記特定の判別結果となったことに基づいて、当該特定の判別結果となった時点の遊技状態によらない予め定められた特定の可変パターンで前記第２可変手段が可変するように制御する第２可変制御手段と、前記特典遊技の実行中に前記特定領域へと遊技球が入球したことに基づいて特定の特典を付与する特典付与手段と、を備え、前記第１可変パターンは、前記第２可変パターンよりも、前記第１可変手段が前記第１位置に可変されている期間に前記入球手段に入球した遊技球が、前記特定の可変パターンにおける前記第３位置に可変されている期間において前記第２可変手段へと到達し易くなるものであり、前記特定の可変パターンは、前記第２可変パターンが設定された前記特典遊技において、前記第２可変パターンにおける前記第１位置への可変が終了してから所定期間が経過した後で前記第２可変手段が前記第３位置へと可変される可変パターンで構成されている。
【手続補正５】
【補正対象書類名】明細書
【補正対象項目名】０９５１
【補正方法】変更
【補正の内容】
【０９５１】
１０                      パチンコ機（遊技機）
６５ａ                    特定入賞口（入球手段）
６５ｆ１                  開閉板（第１可変手段）
６５ｈ                    切替部材（第２可変手段）
１１２                    発射制御装置（発射手段）
Ｓ２１７                  判別手段の一部
Ｓ２１８                  特典遊技実行手段
Ｓ２２２ 遊技状態設定手段の一部
Ｓ３０５                  判別手段の一部
Ｓ１００２                第１可変制御手段の一部、可変パターン決定手段の一部
Ｓ１００４                第２可変制御手段の一部
Ｓ１００５ 遊技状態設定手段の一部
Ｓ１１０１                第１可変制御手段の一部、可変パターン決定手段の一部
Ｓ１２０２ 特典付与手段の一部
Ｓ１２０３ 遊技状態設定手段の一部
Ｓ１２１１                遊技状態設定手段の一部、特典付与手段の一部
Ｓ１２１２ 遊技状態設定手段の一部